(57)【要約】【課題】取付位置を確実に保持することができ、使用感が良好な二輪車用ハンドルカバーを提供する。【解決手段】側壁面３の内側の面に、横長状の窓部５を形成する。窓部５の前後中央にハンドル挿入孔６付き上下帯片７を配設する。上壁面１と下壁面２を有する。上壁面１が紫外線カット用布体を有し、かつ、下壁面２が紫外線カット用布体を省略してメッシュを有する。上下帯片７の近傍に、ハンドルＨに固定するための紐10を有する。【選択図】図２
0003118165.tif 000002
【実用新案登録請求の範囲】
【請求項１】
側壁面（３）の内側の面に、横長状の窓部（５）を形成し、該窓部（５）の前後中央にハンドル挿入孔（６）付き上下帯片（７）を配設したことを特徴とする二輪車用ハンドルカバー。
【請求項２】
上壁面（１）と下壁面（２）を有する二輪車用ハンドルカバーであって、上記上壁面（１）が紫外線カット用布体（８）を有し、かつ、上記下壁面（２）が紫外線カット用布体（８）を省略してメッシュ（９）を有する請求項１記載の二輪車用ハンドルカバー。
【請求項３】
上壁面（１）と下壁面（２）と側壁面（３）を有する二輪車用ハンドルカバーであって、上記上壁面（１）が紫外線カット用布体（８）を有し、かつ、上記下壁面（２）及び上記側壁面（３）が紫外線カット用布体（８）を省略してメッシュ（９）を有する請求項１又は２記載の二輪車用ハンドルカバー。
【請求項４】
上壁面（１）と下壁面（２）の上下高さ距離寸法（Ｔ）を、30mm≦Ｔ≦70mmに設定した請求項２又は３記載の二輪車用ハンドルカバー。
【請求項５】
上記上下帯片（７）又はその近傍に、ハンドル（Ｈ）に固定するための紐（10）を有する請求項１，２，３又は４記載の二輪車用ハンドルカバー。
【考案の詳細な説明】
【技術分野】
【０００１】
本考案は、二輪車用ハンドルカバーに関する。
【背景技術】
【０００２】
一般に、防寒、紫外線防止、雨避けのために、自転車やバイク等の二輪車のハンドルに、ハンドルカバーを取り付ける（例えば、特許文献１参照）。
【０００３】
しかし、取付構造があまりにも簡易であって、取付位置が確実に保持されず位置がずれ、使用感が悪いという欠点があった。
【特許文献１】実用新案登録第３０９７７６３号公報
【考案の開示】
【考案が解決しようとする課題】
【０００４】
解決しようとする課題は、取付位置が確実に保持されない（すなわち、位置がずれやすい）点である。また、夏の暑い日などに通気性が悪い点である。
【課題を解決するための手段】
【０００５】
そこで、本考案に係る二輪車用ハンドルカバーは、側壁面の内側の面に、横長状の窓部を形成し、該窓部の前後中央にハンドル挿入孔付き上下帯片を配設したものである。
また、上壁面と下壁面を有する二輪車用ハンドルカバーであって、上記上壁面が紫外線カット用布体を有し、かつ、上記下壁面が紫外線カット用布体を省略してメッシュを有するものである。
また、上壁面と下壁面と側壁面を有する二輪車用ハンドルカバーであって、上記上壁面が紫外線カット用布体を有し、かつ、上記下壁面及び上記側壁面が紫外線カット用布体を省略してメッシュを有するものである。
【０００６】
また、上壁面と下壁面の上下高さ距離寸法Ｔを、30mm≦Ｔ≦70mmに設定したものである。
また、上記上下帯片又はその近傍に、ハンドルに固定するための紐を有するものである。
【考案の効果】
【０００７】
本考案のハンドルカバーによれば、取付位置を確実に保持することができ、使用感が良好である。また、夏の暑い日などに通気性が良く、手がむれるのを防止することができる。さらに、コンパクトで取り扱いが容易であるとともに、運転の邪魔になるのを防止することができる。
【考案を実施するための最良の形態】
【０００８】
図１は、本考案の第１の実施の形態の使用状態を示す。この二輪車用ハンドルカバーは、バイク（自動二輪車）や自転車（例えばマウンテンバイク）等の二輪車（特に一文字型ハンドルのもの）のハンドルＨに取付けられて、太陽の紫外線によって手Ｅが日焼けするのを防止するために使用される。
【０００９】
具体的には、図１〜図３に示すように、上壁面１と下壁面２と側壁面３を有する。４は上壁面１の後端縁に連設された手首保護壁面を示す。側壁面３の内側の面───すなわち、左手用のハンドルカバーの場合は右側面、右手用のハンドルカバーの場合は左側面───を無くして、横長状の窓部５が形成されている。窓部５の前後中央にハンドル挿入孔６付き上下帯片７が配設されている。上下帯片７は、例えば、天然皮革、合成皮革等から成る。ブレーキレバーＢは窓部５に挿入される。
【００１０】
図４に示すように、上壁面１、側壁面３、及び、手首保護壁面４が紫外線カット用布体８を有するとともにメッシュ９を有する。下壁面２が紫外線カット用布体８を省略してメッシュ９を有する。「布体」とは、シート状のもの一般をいい、織布、不織布、天然皮革、合成皮革等を含むものとする。
【００１１】
上壁面１と下壁面２の上下高さ距離寸法Ｔが、30mm≦Ｔ≦70mmに設定されている。Ｔ＜30mmの場合、ハンドル挿入孔６が小さくなり過ぎて、ハンドルＨを挿入することができない虞れがある。また、70mm＜Ｔの場合、大きなスペースをとるので、二輪車の運転の邪魔になる虞れがある。
【００１２】
図１〜図３に示すように、上下帯片７の近傍に、ハンドルＨに固定するための紐10を有する。
【００１３】
次に、第２の実施の形態について、説明する（図示省略）。すなわち、側壁面３が紫外線カット用布体８を省略してメッシュ９を有する。その他の構成は、第１の実施の形態と同様である。
【００１４】
なお、本考案は、設計変更可能であって、例えば、上下帯片７に、ハンドルＨに固定するための紐10を有するも良い。また、紐10を省略したものとするも良い。
【００１５】
以上のように、本考案は、側壁面３の内側の面に、横長状の窓部５を形成し、窓部５の前後中央にハンドル挿入孔６付き上下帯片７を配設したので、取付位置を確実に保持することができ、使用感が良好である。
【００１６】
また、上壁面１と下壁面２を有する二輪車用ハンドルカバーであって、上壁面１が紫外線カット用布体８を有し、かつ、下壁面２が紫外線カット用布体８を省略してメッシュ９を有するので、取付位置を確実に保持することができ、使用感が良好である。また、夏の暑い日などに通気性が良く、手がむれるのを防止することができる。さらに、メッシュ９によって、形状保持効果を得ることができる。すなわち、メッシュ９の剛性によって、全体の形状が保持されやすい。
【００１７】
また、上壁面１と下壁面２と側壁面３を有する二輪車用ハンドルカバーであって、上壁面１が紫外線カット用布体８を有し、かつ、下壁面２及び側壁面３が紫外線カット用布体８を省略してメッシュ９を有するので、取付位置を確実に保持することができ、使用感が良好である。また、夏の暑い日などに通気性が良く、手がむれるのを防止することができる。さらに、メッシュ９によって、形状保持効果を得ることができる。すなわち、メッシュ９の剛性によって、全体の形状が保持されやすい。
【００１８】
また、上壁面１と下壁面２の上下高さ距離寸法Ｔを、30mm≦Ｔ≦70mmに設定したので、取付位置を確実に保持することができ、使用感が良好である。また、夏の暑い日などに通気性が良く、手がむれるのを防止することができる。さらに、コンパクトで取り扱いが容易であるとともに、運転の邪魔になるのを防止することができる。
【００１９】
また、上下帯片７又はその近傍に、ハンドルＨに固定するための紐10を有するので、取付位置をより確実に保持することができ、使用感が良好である。また、夏の暑い日などに通気性が良く、手がむれるのを防止することができる。さらに、コンパクトで取り扱いが容易であるとともに、運転の邪魔になるのを防止することができる。
【図面の簡単な説明】
【００２０】
【図１】本考案の第１の実施の形態の使用状態を示す平面図である。
【図２】側面図である。
【図３】正面図である。
【図４】図１のＡ−Ａ端面断面図である。
【符号の説明】
【００２１】
１  上壁面
２  下壁面
３  側壁面
５  窓部
６  ハンドル挿入孔
７  上下帯片
８  紫外線カット用布体
９  メッシュ
10  紐
Ｈ  ハンドル
Ｔ  上下高さ距離寸法
【図１】
0003118165.tif 000003
【図２】
0003118165.tif 000004
【図３】
0003118165.tif 000005
【図４】
0003118165.tif 000006